(57)【要約】      （修正有）【課題】二次元画像の領域が制約されず、位置関係の違和感をなくし、明るく奥行きのある像を観察することが可能なホログラム作成方法、それによって作成されたホログラム及びホログラム作成装置を提供する。【解決手段】単位領域について、第１原画像を記録する第１記録属性を付与する段階ＳＴ３１と、第１記録属性を付与された以外の単位領域について、第２原画像を記録する第２記録属性を付与する段階ＳＴ３２と、二次元からなる第１原画像に基づく回折格子パターン・散乱構造パターンを求め、記録面上に形成される所定の記録パターンを示すデータを作成し、三次元からなる第１記録属性が付与された単位領域について、第２原画像に基づく干渉縞パターンを求めることにより、記録面上に形成される所定の記録パターンを示すデータを作成する記録パターン作成段階ＳＴ４と、記録パターンを物理的な媒体上に形成する媒体形成段階ＳＴ５とを有する。【選択図】図１
2010139673.tif 000002
【特許請求の範囲】
【請求項１】
記録対象となる二次元からなる第１原画像及び三次元からなる第２原画像をデータとして用意する原画像準備段階と、
可視光についての干渉縞を記録するのに十分な面積をもった単位領域を、ホログラムの記録面上に多数配置して定義する単位領域定義段階と、
前記単位領域について、前記第１原画像を記録することを示す第１記録属性を付与する第１属性付与段階と、
前記第１属性付与段階の後、前記第１記録属性を付与された以外の単位領域について、前記第２原画像を記録することを示す第２記録属性を付与する第２属性付与段階と、
前記第１記録属性が付与された単位領域について、前記第１原画像に基づく回折格子パターン・散乱構造パターンを求めることにより、前記記録面上に形成される所定の記録パターンを示すデータを作成し、
前記第２記録属性が付与された単位領域について、前記第２原画像に基づく干渉縞パターンを求めることにより、前記記録面上に形成される所定の記録パターンを示すデータを作成する記録パターン作成段階と、
前記記録パターンを物理的な媒体上に形成する媒体形成段階と、
を有することを特徴とするホログラム作成方法。
【請求項２】
記録対象となる二次元からなる第１原画像及び三次元からなる第２原画像をデータとして用意する原画像準備段階と、
可視光についての干渉縞を記録するのに十分な面積をもった単位領域を、ホログラムの記録面上に多数配置して定義する単位領域定義段階と、
前記単位領域について、前記第２原画像を記録することを示す第２記録属性を付与する第２属性付与段階と、
前記第２属性付与段階の後、前記第２記録属性を付与された以外の単位領域について、前記第１原画像を記録することを示す第１記録属性を付与する、及び、前記第２記録属性を付与された一部の単位領域について、前記第１原画像を記録することを示す第１記録属性に付け替える第１属性付与段階と、
前記第１記録属性が付与された単位領域について、前記第１原画像に基づく回折格子パターン・散乱構造パターンを求めることにより、前記記録面上に形成される所定の記録パターンを示すデータを作成し、
前記第２記録属性が付与された単位領域について、前記第２原画像に基づく干渉縞パターンを求めることにより、前記記録面上に形成される所定の記録パターンを示すデータを作成する記録パターン作成段階と、
前記記録パターンを物理的な媒体上に形成する媒体形成段階と、
を有することを特徴とするホログラム作成方法。
【請求項３】
前記第１原画像を複数有する請求項１又は請求項２に記載のホログラム作成方法。
【請求項４】
前記第２原画像を複数有する請求項１〜３のいずれか１つに記載のホログラム作成方法。
【請求項５】
前記単位領域定義段階で、二次元マトリックス状に配列された、同一サイズ、同一矩形形状を有する多数の単位領域を定義する請求項１〜４のいずれか１つに記載のホログラム作成方法。
【請求項６】
前記原画像準備段階で、前記第１原画像として二次元画像を示すデジタルデータ、前記第２原画像として三次元画像を示すデジタルデータを用意する請求項１〜５のいずれか１つに記載のホログラム作成方法。
【請求項７】
前記記録パターン作成段階で、前記単位領域について前記第１原画像に基づく回折格子パターンもしくは散乱構造パターンを求める際に、前記単位領域内に１つもしくは複数の画素を定義し、この画素について前記第１原画像上の対応画素を求め、当該対応画素の画素値に基づいて、個々の画素内の回折格子パターンもしくは散乱構造パターンを決定する請求項１〜６のいずれか１つに記載のホログラム作成方法。
【請求項８】
記録パターン作成段階で、前記単位領域について前記第２原画像に基づく干渉縞パターンを求める際に、前記第２原画像および記録面を三次元空間上に配置し、所定の参照光を定義し、前記第２原画像からの物体光と参照光とによって前記単位領域内に形成される干渉縞パターンを演算によって求める請求項１〜７のいずれか１つに記載のホログラム作成方法。
【請求項９】
前記単位領域の大きさを、肉眼によって個々の前記単位領域の存在を認識することができないサイズに設定する請求項１〜８のいずれか１つに記載のホログラム作成方法。
【請求項１０】
請求項１〜９のいずれか１つに記載のホログラム作成方法によって作成されたホログラム。
【請求項１１】
記録対象となる少なくとも１つの二次元からなる第１原画像及び少なくとも１つの三次元からなる第２原画像をデータとして格納する原画像格納部と、
可視光についての干渉縞を記録するのに十分な面積をもった単位領域を、ホログラムの記録面上に多数配置して定義する単位領域定義部と、
前記単位領域について、前記第１原画像を記録することを示す第１記録属性を付与し、前記第１属性付与段階の後、前記第１記録属性を付与された以外の単位領域について、前記第２原画像を記録することを示す第２記録属性を付与する属性付与部と、
前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成部と、
を備えることを特徴とするホログラム作成装置。
【請求項１２】
記録対象となる少なくとも１つの二次元からなる第１原画像及び少なくとも１つの三次元からなる第２原画像をデータとして格納する原画像格納部と、
可視光についての干渉縞を記録するのに十分な面積をもった単位領域を、ホログラムの記録面上に多数配置して定義する単位領域定義部と、
前記単位領域について、前記第２原画像を記録することを示す第２記録属性を付与し、前記第２属性付与段階の後、前記第２記録属性を付与された以外の単位領域について、前記第１原画像を記録することを示す第１記録属性を付与する、及び、前記第２記録属性を付与された一部の単位領域について、前記第１原画像を記録することを示す第１記録属性に付け替える属性付与部と、
前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成部と、
を備えることを特徴とするホログラム作成装置。
【発明の詳細な説明】
【技術分野】
【０００１】
本発明は、ホログラム作成方法、それによって作成されたホログラム及びホログラム作成装置に関し、特に、明るく奥行きのある像を観察可能なホログラム作成方法、それによって作成されたホログラム及びホログラム作成装置に関する。
【背景技術】
【０００２】
金券やクレジットカードについての偽造防止の用途として、ホログラムが広く利用されている。通常は、偽造防止対策を施す対象となる媒体上の一部に、ホログラムを記録する領域を設け、この領域内に立体像などがホログラムの形で記録される。
【０００３】
従来、商業的に利用されているホログラムの多くは、光学的な手法により、原画像を媒体上に干渉縞として記録したものであったが、最近では、計算機を用いた演算により記録面上に干渉縞を形成させてホログラムを作成する手法も知られている。このような手法で作成されたホログラムは、一般に「計算機合成ホログラム（ＣＧＨ：Computer Generated Hologram ）」、あるいは単に「計算機ホログラム」と呼ばれている。この計算機ホログラムは、いわば光学的な干渉縞の生成プロセスをコンピュータ上でシミュレーションすることにより得られるものであり、干渉縞パターンを生成する過程は、すべてコンピュータ上の演算として行われる。このような演算によって干渉縞パターンの画像データが得られたら、この画像データに基いて、実際の媒体上に物理的な干渉縞が形成される。具体的には、たとえば、コンピュータによって作成された干渉縞パターンの画像データを電子線描画装置に与え、媒体上で電子線を走査することにより物理的な干渉縞を形成する方法が実用化されている。
【０００４】
コンピュータグラフィックス技術の発展により、印刷業界では、種々の画像をコンピュータ上で取り扱うことが一般化しつつある。したがって、ホログラムに記録すべき原画像も、コンピュータを利用して得られた画像データとして用意することができれば便利である。このような要求に応えるためにも、計算機ホログラムを作成する技術は重要な技術になってきており、将来は光学的なホログラム作成手法に取って代わる技術になるであろうと期待されている。このような計算機ホログラムに関する種々の技術は、たとえば、下記の特許文献１〜３に開示されている。
【０００５】
また、「ホログラム」とは、本来、立体像を再生することが可能な光学的干渉縞パターンを意味するものであるが、最近では、光学的干渉縞パターンの代わりに、回折格子パターンを形成した「疑似ホログラム」と呼ばれる媒体も普及している。たとえば、下記の特許文献４〜６には、様々な種類の回折格子パターンを画素として配列することにより所定のモチーフを表現した「疑似ホログラム」をコンピュータを用いて作成する方法が開示されており、下記の特許文献７には、このような「疑似ホログラム」と「本来のホログラム」とを同一媒体上に記録する方法が開示されている。また、下記の特許文献８，９には、回折格子パターンの代わりに、散乱構造パターンを用いた疑似ホログラムの例が開示されている。
【０００６】
なお、上述したとおり、本来の「ホログラム」とは、物体光と参照光との光学的な干渉縞を媒体上に記録したものを指すが、最近では、回折格子パターンや散乱構造パターンによって様々なモチーフが表現されている媒体についても、一般に「ホログラム」と呼称されるようになってきている。そこで、本願では、「ホログラム」という文言を、光学的干渉縞パターンからなる本来のホログラムだけでなく、回折格子パターンからなる疑似ホログラム（回折格子記録媒体）や散乱構造パターンからなる疑似ホログラム（散乱構造記録媒体）をも含む広い概念として用いることにする。
【特許文献１】特開平１１−０２４５３９号公報
【特許文献２】特開２００１−１０９３６２号公報
【特許文献３】特開２００３−１８６３７６号公報
【特許文献４】特開平０６−３３７６２２号公報
【特許文献５】特開平０７−１４６６３５号公報
【特許文献６】特開平０７−１４６６３７号公報
【特許文献７】特開２００１−０８３８６６号公報
【特許文献８】特開２００２−３２８６３９号公報
【特許文献９】特開２００２−３３３８５４号公報
【発明の開示】
【発明が解決しようとする課題】
【０００７】
金券やクレジットカード用ホログラムには、会社のロゴマークや社名を示す文字列など、用途に応じて様々なモチーフが記録される。このため、同一のホログラム記録媒体上に複数のモチーフを重畳して記録する方法が提案されている。光学的干渉縞パターンが記録された本来のホログラムも、回折格子パターンが記録された疑似ホログラムも、光の回折現象を利用して特定の方向に向かう再生光を生成する機能を有しているため、第１の方向から観察すると第１のモチーフが観察され、第２の方向から観察すると第２のモチーフが観察されるように、２つのモチーフを重畳して記録することが可能になる。たとえば、前掲の特許文献２，３には、複数の原画像の情報を同一の記録媒体上に重畳記録する方法が開示されており、前掲の特許文献４には、２つの異なるアルファベットを示すための回折格子パターンを重畳記録する方法が開示されている。
【０００８】
このように、２つのモチーフを重畳して記録することができれば、第１の方向から観察すると社名を示す文字列からなるモチーフが観察され、第２の方向から観察すると会社のロゴマークからなるモチーフが観察される、というように、２つのモチーフを観察方向によって切り換えて提示することが可能になる。しかしながら、用途によっては、このような観察方向による切り換え手法が必ずしも適切でない場合もある。たとえば、社名を示す文字列とロゴマークとを並べて同時に表示した方が好ましい場合もある。
【０００９】
また、本来、ホログラムは、単一波長からなる物体光および参照光の干渉縞を記録面に記録し、この干渉縞に、同じ単一波長をもった再生用照明光を照射することにより、立体像の再生を行うべきものである。しかしながら、単一波長による再生は、実験室などの特殊な環境でなければ実現不可能であり、実用上は、クレジットカードの一部などに記録されたホログラムについては、種々の波長の光が混じり合った白色照明光の下で再生されるのが一般的である。ところが、このように白色照明光の下で得られるホログラム再生像は、全体的に暗く不鮮明になるという問題がある。
【００１０】
このような場合、従来は、単に２つのモチーフを隣接して配置することによって対応していた。たとえば、前掲の特許文献７には、第１のモチーフを光学的干渉縞パターンとして媒体の中央の領域に記録し、第２のモチーフを回折格子パターンとして媒体の周囲の領域に配置する技術が開示されている。この技術により、観察時に明るく鮮明な印象を与えることができるホログラムを提供することができる。
【００１１】
しかしながら、特許文献７に開示された技術では、まず第１のモチーフである立体像を媒体の中央の領域に記録し、その後第２のモチーフである二次元画像を媒体の中央の領域以外の周囲の領域に配置するので、明るく目立つ二次元画像の領域が制約されるという問題があった。また、立体像を記録するための領域は、立体像に視差があるため立体形状の輪郭よりも広くなる。このため、立体像を記録する領域以外の周囲の領域に二次元画像を記録しても、二次元画像と立体像の間に隙間が生じてしまうという問題が生じる。さらに、奥行きのある立体像が明るく目立つ二次元画像の前に存在するように再生されるので、奥行き関係に違和感を生じるという問題があった。
【００１２】
そこで本発明は、二次元画像の領域が制約されず、位置関係の違和感をなくし、明るく奥行きのある像を観察することが可能なホログラム作成方法、それによって作成されたホログラム及びホログラム作成装置を提供することを目的とする。
【課題を解決するための手段】
【００１３】
（１）本発明に係るホログラム作成方法は、記録対象となる二次元からなる第１原画像及び三次元からなる第２原画像をデータとして用意する原画像準備段階と、可視光についての干渉縞を記録するのに十分な面積をもった単位領域を、ホログラムの記録面上に多数配置して定義する単位領域定義段階と、前記単位領域について、前記第１原画像を記録することを示す第１記録属性を付与する第１属性付与段階と、前記第１属性付与段階の後、前記第１記録属性を付与された以外の単位領域について、前記第２原画像を記録することを示す第２記録属性を付与する第２属性付与段階と、前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成段階と、前記記録パターンを物理的な媒体上に形成する媒体形成段階と、を有することを特徴とする。
【００１４】
（２）また、記録対象となる二次元からなる第１原画像及び三次元からなる第２原画像をデータとして用意する原画像準備段階と、可視光についての干渉縞を記録するのに十分な面積をもった単位領域を、ホログラムの記録面上に多数配置して定義する単位領域定義段階と、前記単位領域について、前記第２原画像を記録することを示す第２記録属性を付与する第２属性付与段階と、前記第２属性付与段階の後、前記第２記録属性を付与された以外の単位領域について、前記第１原画像を記録することを示す第１記録属性を付与する、及び、前記第２記録属性を付与された一部の単位領域について、前記第１原画像を記録することを示す第１記録属性に付け替える第１属性付与段階と、前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成段階と、前記記録パターンを物理的な媒体上に形成する媒体形成段階と、を有することを特徴とする。
【００１５】
（３）また、前記第１原画像を複数有する。
【００１６】
（４）また、前記第２原画像を複数有する。
【００１７】
（５）また、前記単位領域定義段階で、二次元マトリックス状に配列された、同一サイズ、同一矩形形状を有する多数の単位領域を定義する。
【００１８】
（６）また、前記原画像準備段階で、前記第１原画像として二次元画像を示すデジタルデータ、前記第２原画像として三次元画像を示すデジタルデータを用意する。
【００１９】
（７）また、前記記録パターン作成段階で、前記単位領域について前記第１原画像に基づく回折格子パターンもしくは散乱構造パターンを求める際に、前記単位領域内に１つもしくは複数の画素を定義し、この画素について前記第１原画像上の対応画素を求め、当該対応画素の画素値に基づいて、個々の画素内の回折格子パターンもしくは散乱構造パターンを決定する。
【００２０】
（８）また、記録パターン作成段階で、前記単位領域について前記第２原画像に基づく干渉縞パターンを求める際に、前記第２原画像および記録面を三次元空間上に配置し、所定の参照光を定義し、前記第２原画像からの物体光と参照光とによって前記単位領域内に形成される干渉縞パターンを演算によって求める。
【００２１】
（９）また、前記単位領域の大きさを、肉眼によって個々の前記単位領域の存在を認識することができないサイズに設定する。
【００２２】
（１０）さらに、本発明に係るホログラムは、（１）〜（８）のいずれか１つに記載のホログラム作成方法によって作成されることを特徴とする。
【００２３】
（１１）さらに、本発明に係るホログラム作成装置は、記録対象となる少なくとも１つの二次元からなる第１原画像及び少なくとも１つの三次元からなる第２原画像をデータとして格納する原画像格納部と、可視光についての干渉縞を記録するのに十分な面積をもった単位領域を、ホログラムの記録面上に多数配置して定義する単位領域定義部と、前記単位領域について、前記第１原画像を記録することを示す第１記録属性を付与し、前記第１属性付与段階の後、前記第１記録属性を付与された以外の単位領域について、前記第２原画像を記録することを示す第２記録属性を付与する属性付与部と、前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成部と、を備えることを特徴とする。
【００２４】
（１２）さらに、記録対象となる少なくとも１つの二次元からなる第１原画像及び少なくとも１つの三次元からなる第２原画像をデータとして格納する原画像格納部と、可視光についての干渉縞を記録するのに十分な面積をもった単位領域を、ホログラムの記録面上に多数配置して定義する単位領域定義部と、前記単位領域について、前記第２原画像を記録することを示す第２記録属性を付与する第２属性付与段階と、前記第２属性付与段階の後、前記第２記録属性を付与された以外の単位領域について、前記第１原画像を記録することを示す第１記録属性を付与する、及び、前記第２記録属性を付与された一部の単位領域について、前記第１原画像を記録することを示す第１記録属性に付け替える属性付与部と、前記第１記録属性が付与された単位領域について、前記第１原画像に基づく回折格子パターン・散乱構造パターンを求めることにより、前記記録面上に形成される所定の記録パターンを示すデータを作成し、前記第２記録属性が付与された単位領域について、前記第２原画像に基づく干渉縞パターンを求めることにより、前記記録面上に形成される所定の記録パターンを示すデータを作成する記録パターン作成部と、を備えることを特徴とする。
【発明の効果】
【００２５】
本発明に係るホログラム作成方法、それによって作成されたホログラム及びホログラム作成装置によれば、二次元画像の領域が制約されず、二次元画像と立体像の間に隙間が生じることもなく、奥行き関係の違和感もなくし、明るく奥行きのある像を観察することが可能になる。
【発明を実施するための最良の形態】
【００２６】
以下、本発明を図示する実施形態に基づいて説明する。
【００２７】
以下、本発明の基本的な実施形態に係るホログラム記録媒体の作成方法の手順を、図１の流れ図を参照しながら説明する。この図１に示す基本手順は、原画像準備段階（ＳＴ１），単位領域定義段階（ＳＴ２），属性付与段階（ＳＴ３），記録パターン作成段階（ＳＴ４），媒体形成段階（ＳＴ５）によって構成されている。以下、これら各段階の具体的な処理内容を説明する。
【００２８】
まず、ステップ１「原画像準備段階」において、記録対象となる第１の原画像および第２の原画像をデータとして用意する（ＳＴ１）。これら２つの原画像データは、各モチーフに対応するものである。
【００２９】
図２は第１の原画像Ｐ１を示す図、図３は第２の原画像Ｐ２を示す図、図４は第１の原画像Ｐ１と第２の原画像Ｐ２の奥行き関係を示す図である。
【００３０】
図２には、「Ｓ」なる二次元文字を表現するための第１の原画像Ｐ１が示されている。なお、第１の原画像Ｐ１は、二次元文字に特定されず、多数の画素を二次元的に配列してなる画像であれば、例えば、線画や、複雑な細線で構成された彩紋模様など、どのような画像であってもよい。
【００３１】
また、図３には、三次元の球体及び四角錐のモチーフを表現するための第２の原画像Ｐ２が示されている。なお、第２の原画像Ｐ２は、三次元の球体及び四角錐のモチーフに特定されず、三次元のものであれば、文字等であってもよい。
【００３２】
図４に示すように、これら第１の原画像Ｐ１及び第２の原画像Ｐ２の奥行き関係は、第１の原画像Ｐ１をホログラム記録領域上に配置し、第２の原画像Ｐ２をその奥、すなわちホログラム記録領域に対して観察者と反対側に配置する。
【００３３】
これらの原画像を示すデータは、いずれもデジタルデータとして用意される。ここでは、二次元のデータとして第１の原画像Ｐ１が用意され、ＸＹＺ三次元座標系上に定義された三次元物体のデータとして第２の原画像Ｐ２が用意されているものとする。三次元物体は、通常、多数のポリゴンの集合体を示す形式のデータとして表現されるが、もちろん、ここで用意する原画像データのデータ形式は、どのようなものであってもかまわない。
【００３４】
続いて、ステップ２において、「単位領域定義段階」が行われる（ＳＴ２）。ここでは、可視光についての干渉縞を記録する単位領域を、ホログラムの記録面上に多数配置して定義する処理が行われる。図５には、記録面Ｈ上に定義された多数の単位領域Ｕの一例が示されている。図示の例では、二次元マトリックス状に配列された、同一サイズ、同一矩形形状（この例では、正方形状）を有する多数の単位領域が定義されている。個々の単位領域は、必ずしも同一サイズ、同一形状にする必要はないが、実用上は、同一サイズ、同一形状の単位領域を配列する方が、処理が単純化されるので好ましい。また、各単位領域の形状としては、六角形や三角形などを採用することも可能であるが、実用上は、図示の例のように、矩形形状の単位領域を二次元マトリックス状に配列するのが好ましい。
【００３５】
後述するように、個々の単位領域Ｕの内部には、それぞれ独立した干渉縞パターンもしくは回折格子パターンが記録されることになるので、媒体の観察時には、個々の単位領域Ｕごとに、それぞれ可視光が所定の回折現象を生じて視点位置へと向かうようにする必要がある。このため、各単位領域は、可視光についての干渉縞を記録するのに十分な面積をもっていることが好ましい。
【００３６】
一般的には、光学的に十分な回折現象を生じるためには、最低限、５本程度の縞模様が必要であるとされている。ここで、可視光のうち、波長の長い側の赤色光の波長を６５０ｎｍとし、この赤色光の回折に都合がよい縞のピッチを、波長と同程度の６５０ｎｍとすれば、５本分の縞模様を配置するために、６５０ｎｍ×５＝３．２５μｍ程度の幅が必要になる。したがって、単位領域Ｕのサイズとしては、最低限、３．２５μｍ×３．２５μｍ程度の領域が必要である。
【００３７】
一方、後述するように、隣接する単位領域Ｕ内には、互いに異なる原画像の情報が記録される可能性がある。このため、個々の単位領域Ｕが、肉眼によって視認可能な程度の大きさにまで達すると、互いに異なる原画像の情報が記録された隣接単位領域の部分において、単位領域間の境界が肉眼で観察されてしまうことになり、観察される画像が不自然になる。このため、個々の単位領域Ｕの最大サイズは、肉眼によって個々の単位領域Ｕの存在を認識することができないサイズに抑えるのが好ましい。具体的には、多数のセルの配列が存在していても、１つのセルの寸法が３００μｍ以下になると、肉眼による分解能では、セル配列を認識することが著しく困難になるとされている。したがって、本発明で定義する単位領域Ｕのサイズは、最大限でも、３００μｍに設定するのが好ましい。
【００３８】
結局、ステップ２で定義する単位領域Ｕのサイズは、３．２５μｍ〜３００μｍの範囲に設定するのが好ましい。ここで述べる実施形態の場合、図５に示すように、正方形状の単位領域Ｕを二次元マトリックス状に配置して定義しているが、１つの単位領域Ｕは、２０μｍ×２０μｍの正方形に設定している。なお、図５では、図示の便宜上、少数の単位領域配列しか示されていないが、実際には、図５より多数の単位領域からなる配列が定義されることになる。このようなサイズの単位領域を定義すれば、各単位領域は、可視光についての干渉縞を記録するのに十分な面積を有しており、しかも、肉眼観察によって、個々の単位領域が認識されることもない。
【００３９】
なお、このステップ２で単位領域Ｕが定義されるホログラムの記録面は、この段階では、まだ概念上の幾何学的な記録面にすぎない。図１に示されている各ステップのうち、ステップ４「記録パターン作成段階」までは、実際には、コンピュータの内部で行われる処理であり、ステップ２における単位領域の定義処理も、実際には、コンピュータ上での概念的な記録面上に、個々の単位領域を設定する処理ということになる。
【００４０】
次に、ステップ３において、「属性付与段階」が行われる（ＳＴ３）。図６は、図５に示した記録面Ｈ上に記録属性を付与した図である。図６に示す正方形状の個々の升目は、図５に示した個々の単位領域Ｕに対応するものである。また、斜線で示したＡは第１の原画像Ｐ１に対応する第１の記録属性、ドットで示したＢは第２の原画像Ｐ２に対応する第２の記録属性である。
【００４１】
記録属性を付与する際は、まず、ステップ３１において、記録面Ｈ上に第２原画像Ｐ２より優先して第１の原画像Ｐ１に対応する第１の記録属性Ａを付与する（ＳＴ３１）。その後、ステップ３２において、記録面Ｈ上に第１の記録属性Ａを付与された領域以外の領域に、第２の原画像Ｐ２に対応する第２の記録属性Ｂを付与する（ＳＴ３２）。
【００４２】
なお、第２実施形態として、図７に示すように、まず、ステップ３６において、単位領域全体について、第２原画像Ｐ２を記録することを示す第２の記録属性Ｂを付与し（ＳＴ３６）、その後、ステップ３７において、第２の記録属性Ｂを付与した後、第２の記録属性Ｂを付与された一部の単位領域について、第２原画像Ｐ２より優先して第１の原画像Ｐ１を記録することを示す第１の記録属性Ａに付け替える（ＳＴ３７）ようにしてもよい。
【００４３】
次に、ステップ４において、「記録パターン作成段階」が行われる（ＳＴ４）。図８は、記録パターンを作成した記録面を示す図である。この段階では、記録面Ｈ上の第１の記録属性Ａが付与された単位領域について、第１の原画像Ｐ１に基づく回折格子パターンを求め、記録面Ｈ上の第２の記録属性Ｂが付与された単位領域について、第２の原画像Ｐ２に基づく干渉縞パターンを求め、最終的に、記録面Ｈ上に形成される所定の記録パターンを示すデータを作成する処理が行われる。記録パターン作成方法については、後述する。
【００４４】
図１の最後のステップ５「媒体形成段階」では、ステップ４で作成された記録面Ｈ上の記録パターンデータに基づいて、当該記録パターンを物理的な媒体上に形成する処理が行われる（ＳＴ５）。前述したとおり、ステップ４までの手順は、コンピュータ上で行われる処理であるが、ステップ５の手順は、このコンピュータ上の処理で作成された記録パターンデータを用いて、実際の物理的な媒体上に、干渉縞パターンや回折格子パターンを形成する処理手順ということになる。具体的には、作成された記録パターンデータを電子線描画装置などに送信し、物理的な媒体を作成する工程が実行される。このような物理的なホログラム記録媒体を形成するための具体的な方法は、既に公知の技術であるので、ここでは詳しい説明は省略する。
【００４５】
ここで、ステップ４の記録パターン作成方法について説明する。
【００４６】
本発明では、第１の原画像Ｐ１を回折格子パターンとして記録する。前述したように、本願における「ホログラム」とは、光学的干渉縞パターンからなる本来のホログラムだけでなく、回折格子パターンからなる疑似ホログラム（回折格子記録媒体）をも含む広い意味で用いている。このように、回折格子パターンからなる疑似ホログラムの作成方法は、たとえば、前掲の特許文献４〜６に開示されているように公知の技術であるが、以下に簡単にその原理を述べる。
【００４７】
図９は、回折格子パターンを用いてモチーフを記録する原理を説明する際の原画像を示す平面図、図１０は、図９の原画像に対応する記録面を示す平面図である。図９は、記録対象となる原画像Ｐｉｃ１の平面図であり、８行９列の画素配列から構成された二次元画像を示している。この二次元画像は、白色で示された画素Ｐａ、黒塗りで示された画素Ｐｂ、ドットによるハッチングで示された画素Ｐｃ、という３種類の画素によって構成されており、これらの画素の組合わせにより、単純なモチーフが表現されている。
【００４８】
この図９に示すような原画像Ｐｉｃ１を、図１０に示すような記録面Ｒｅｃ１上に回折格子パターンとして記録するには、図１０に示すように、記録面Ｒｅｃ１上に、原画像Ｐｉｃ１と同様の画素配列を定義し、記録面Ｒｅｃ１上の画素と原画像Ｐｉｃ１上の画素とが対応するようにする。そして、記録面Ｒｅｃ１上の各画素Ｐａ，Ｐｂ，Ｐｃには、それぞれ原画像Ｐｉｃ１上の対応画素Ｐａ，Ｐｂ，Ｐｃの画素値に応じた回折格子パターンを記録するようにすればよい
【００４９】
図１１は、図１０に示す記録面Ｒｅｃ１上に、回折格子パターンを用いて、図９の原画像に対応するモチーフを記録した状態を示す平面図である。図１１に示す個々の画素内に描かれている線は、説明の便宜上、回折格子パターンの格子線を示すものである。もっとも、実際の回折格子パターンの格子線は、可視光の波長程度のピッチで記録されるので、肉眼で観察することはできない。
【００５０】
図１１に示す個々の画素内の回折格子パターンは３通りあり、図９に示す３通りの画素に対応している。すなわち、図９に白色で示された画素Ｐａの位置には、右上から左下方向へ傾斜した向きの格子線を有する回折格子パターンが形成され、図９に黒塗りで示された画素Ｐｂの位置には、垂直方向を向いた格子線を有する回折格子パターンが形成され、図９にドットによるハッチングで示された画素Ｐｃの位置には、左上から右下方向へ傾斜した向きの格子線を有する回折格子パターンが形成されている。
【００５１】
このように、原画像Ｐｉｃ１の個々の画素の画素値に応じた回折格子パターンを、記録面Ｒｅｃ１上の対応する画素位置に記録するようにすれば、原画像Ｐｉｃ１上のモチーフを回折格子パターンによって表現することが可能である。この図１１に示すような回折格子パターンが記録された媒体は、本来のホログラム記録媒体ではないので、立体像の再生を行うことはできない。しかしながら、個々の画素に記録された回折格子パターンに応じた回折光が観察位置へと向かうことになるので、３通りの画素がそれぞれ異なる態様で観察されることになり、原画像Ｐｉｃ１上のモチーフが再現できる。
【００５２】
この図１１に示す媒体は、疑似ホログラムと呼ぶべきものであるが、一般的には、このような媒体も含めてホログラムという呼び方がされており、本願においても、これをホログラム記録媒体と呼んでいる。
【００５３】
図１２は、図１１に示す画素Ｐａ内に形成された回折格子パターンの拡大平面図である。図１１と図１２には、それぞれＸＹ二次元座標系が示されており、格子線の向きは、Ｘ軸に対する格子線の配置角度θによって定義されている。図１２に示す例では、線幅ｄをもった格子線Ｌ（黒い部分）が、ピッチｐをもって、閉領域ｖの内部に配置角度θで配置されている。図１１に示されている３通りの回折格子パターンは、格子線の配置角度θを３通りに変えたものに相当する。すなわち、図１１に示す記録媒体は、図９に示す原画像上の３通りの画素Ｐａ，Ｐｂ，Ｐｃを、３通りの配置角度θを有する回折格子パターンで表現していることになる。
【００５４】
このように、回折格子パターンのバリエーションは、格子線Ｌの配置角度θを変えることによって得ることができるが、それ以外のパラメータを変えることによっても、同様に回折格子パターンのバリエーションを得ることができる。具体的には、図１２に示すように、格子線Ｌの線幅ｄやピッチｐを変えることによっても、異なる回折現象を生じさせることが可能な異なる回折格子パターンを得ることができる。また、図１２に示す例では、画素の大きさと、格子線を形成する閉領域ｖの大きさとが等しくなっているが、格子線を形成する閉領域ｖの大きさを、画素の大きさの８０％，６０％，４０％，２０％にすれば、回折光の強度がそれぞれ８０％，６０％，４０％，２０％の画素を形成することができる。
【００５５】
このように、内部に回折格子パターンが形成された画素には、格子線Ｌの配置角度θ，線幅ｄ，ピッチｐ，形成する閉領域ｖの大きさなどを種々変えることによって、多種類のバリエーションが存在する。これらのバリエーションを利用して、原画像上の画素の画素値のバリエーションを表現するようにすれば、原画像上のモチーフを、回折格子パターンとして表現することが可能になる。
【００５６】
なお、記録面Ｒｅｃ１上における単位領域と画素との対応関係は、必ずしも１対１になっている必要はない。すなわち、記録面Ｒｅｃ１上に定義された１つの単位領域をそのまま１つの画素と定義し、その中に特定の回折格子パターンを形成するようにしてもよいし、１つの単位領域内に複数の画素を定義し、個々の画素内にそれぞれ固有の回折格子パターンを形成するようにしてもよい。たとえば、２０μｍ×２０μｍの正方形の単位領域を定義した場合、この２０μｍ×２０μｍの正方形の単位領域をそのまま１つの画素とする運用も可能であるし、この１つの単位領域内に１０μｍ×１０μｍの正方形からなる画素を４つ定義するような運用も可能である。要するに、記録面Ｒｅｃ１上の個々の単位領域について原画像に基づく回折格子パターンを求める際に、単位領域内に１つもしくは複数の画素を定義し、この画素について原画像上の対応画素を求め、当該対応画素の画素値に基づいて、個々の画素内の回折格子パターンを決定するようにすればよい。
【００５７】
また、記録面Ｒｅｃ１上の個々の画素内に回折格子パターンを形成する代わりに、散乱構造パターンを形成することも可能である。上述したとおり、回折格子パターンを用いれば、格子線Ｌの配置角度θ，線幅ｄ，ピッチｐ，閉領域ｖの大きさなどを変えることにより、観察時に異なる見え方をする複数通りの画素を用意することができ、この複数通りの画素により、原画像上の画素の画素値のバリエーションを表現することができる。逆言すれば、原画像上の画素の画素値のバリエーションを表現するために、互いに異なる見え方をする複数通りの画素を用意することができれば、当該画素は、必ずしも回折格子パターンによって形成する必要はない。
【００５８】
散乱構造パターンは、固有の光散乱特性をもったパターンであり、本発明において、上述した回折格子パターンの代わりに用いることが可能である。たとえば、特開２００２−３２８６３９号公報や特開２００２−３３３８５４号公報には、表面に微細な凹凸構造を形成することにより固有の光散乱特性をもった記録媒体を形成する方法が開示されている。たとえば、記録媒体の表面を、エッチングや化学薬品によって荒らすことにより、あるいは、電子線描画装置を用いて微細な凹凸加工を行うことにより、様々な光散乱特性をもった表面を形成することができる。したがって、互いに異なる光散乱特性を有する複数通りの散乱構造パターンを用意しておき、原画像上の画素の画素値に応じて、記録面Ｒｅｃ１上の各画素内に特定の散乱構造パターンを割り付けるようにすれば、上述した回折格子パターンを用いた場合と同様に、原画像の情報を記録することが可能になる。
【００５９】
次に、原画像を記録面に干渉縞パターンとして記録する原理について説明する。
【００６０】
図１３は、原画像と、記録面とを三次元空間上に配置し、記録面上に干渉縞パターンを記録する原理を示す斜視図である。実際には、この処理は、コンピュータ上での光学現象のシミュレーション演算として実行されるので、原画像Ｐｉｃ２及び記録面Ｒｅｃ２は、コンピュータ上の三次元空間に配置された仮想的な物体ということになる。
【００６１】
具体的には、図１３に示すように、原画像Ｐｉｃ２を定義するとともに、この原画像Ｐｉｃ２を立体像として記録するための記録面Ｒｅｃ２を定義する。実際には、図１３のようなＸＹＺ三次元座標系を定義し、この三次元座標系上において立体像を示すデータとして原画像Ｐｉｃ２を用意し、二次元平面を示すデータとして記録面Ｒｅｃ２を用意することになる。そして、原画像Ｐｉｃ２上に多数の微小光源を定義し（たとえば、原画像Ｐｉｃ２の表面上に縦横所定のピッチで格子状に点光源を定義すればよい）、各微小光源から発せられる物体光Ｏと参照光Ｒとの干渉によって記録面Ｒｅｃ２上に生じる干渉縞を演算すればよい。ここで、物体光Ｏと参照光Ｒとは、同一波長をもった単色光である。
【００６２】
たとえば、原画像Ｐｉｃ２上に定義された１つの微小光源を図示のように点光源Ｇとすると、記録面Ｒｅｃ２上の任意の１点Ｑについては、この点光源Ｇからの物体光Ｏと参照光Ｒとによって点Ｑの位置に生じる干渉波の強度値が演算されることになる。もちろん、点Ｑには、点光源Ｇについての情報だけでなく、他の点光源から発せられる物体光Ｏとすべての点光源に対して共通で１つの参照光Ｒとの干渉波の強度値も演算され、これら多数の演算値の合計値として、点Ｑの位置における最終的な干渉縞強度値が求められる。同様の演算が、記録面Ｒｅｃ２上に定義された多数の演算点について行われ、この記録面Ｒｅｃ２上には、干渉縞強度値の二次元分布が得られることになる。この二次元分布が、記録すべき干渉縞ということになる。
【００６３】
なお、このような干渉縞パターンの演算手法は、たとえば、前掲の特許文献１〜３などに開示されているように、計算機ホログラムの一般的な手法であるので、ここでは、この演算手法自身についての詳しい説明は省略する。
【００６４】
本発明におけるステップ４「記録パターン作成段階」の重要な特徴は、記録面Ｈ上に定義された個々の単位領域ごとに、記録対象となる原画像が異なるという点である。記録面Ｈ上には、図５に示すように、多数の単位領域が定義されており（ステップ２の単位領域定義段階）、個々の単位領域には、図６に示すように、所定の記録属性が付与されている（ステップ３の属性付与段階）。たとえば、図８に示されている記録面Ｈ上の単位領域Ｕａには、記録属性「Ａ」が付与されており、単位領域Ｕｂには、記録属性「Ｂ」が付与されている。ここで、回折格子パターン又は干渉縞パターンを演算して記録する場合、記録属性「Ａ」が付与された単位領域Ｕａについては、第１の原画像Ｐ１に基づく回折格子パターンのみが記録され、記録属性「Ｂ」が付与された単位領域Ｕｂについては、第２の原画像Ｐ２に基づく干渉縞パターンのみが記録されることになる。
【００６５】
すなわち、単位領域Ｕａ内には、第１の原画像Ｐ１の回折格子パターンが記録され、このとき、第２の原画像Ｐ２は完全に無視される。同様に、単位領域Ｕｂ内には、第２の原画像Ｐ２からの物体光と参照光Ｒとの干渉縞パターンが記録され、このとき、第１の原画像Ｐ１は完全に無視される。計算機ホログラムの手法では、回折格子パターン及び干渉縞パターンは演算によって求められるので、このように原画像を選択して回折格子パターン及び干渉縞パターンを求める処理は、プログラムによって自由に行うことが可能である。
【００６６】
結局、ステップ４「記録パターン作成段階」によって、記録面Ｈ上に所定の記録パターンが作成されることになるが、この記録パターンによる記録対象は、個々の単位領域ごとに異なることになる。すなわち、図８に示す各単位領域において、記録属性「Ａ」が付与されている単位領域には、第１の原画像Ｐ１についての回折格子パターンが記録され、記録属性「Ｂ」が付与されている単位領域には、第２の原画像Ｐ２についての干渉縞パターンが記録される。
【００６７】
このように、１つの単位領域には、１つの原画像についての回折格子パターン又は干渉縞パターンのみが記録されているため、観察時には、各単位領域からは鮮明な再生像を形成することが可能な回折光が得られることになる。
【００６８】
本発明に係るホログラムは、第１の原画像を回折格子パターンとして記録し、第２の原画像を干渉縞パターンとして記録した媒体である。このような媒体を作成するには、図１の流れ図におけるステップ４の記録パターン作成段階で、第１の記録属性が付与された単位領域については、当該単位領域内に１つもしくは複数の画素を定義し、この画素について第１の原画像上の対応画素を求め、当該対応画素の画素値に基づいて、個々の画素内の回折格子パターンもしくは散乱構造パターンを決定し、第２の記録属性が付与された単位領域については、第２の原画像および記録面を三次元空間上に配置し、所定の参照光を定義し、第２の原画像からの物体光と参照光との干渉縞パターンを演算によって求めればよい。
【００６９】
図１４〜図１６は、以上の方法により作成されたホログラムＨを観察した図である。図１４は作成されたホログラムＨを正面から見た図、図１５は作成されたホログラムＨを左側から見た図、図１６は作成されたホログラムＨを右側から見た図である。
【００７０】
この方法を採れば、図１４〜図１６のＳ字で示す第１の原画像Ｐ１に対応する像は、キラキラと光って見えたり、マット状に白っぽく見えたりし（疑似）、図１４〜図１６の球体及び三角錐で示す第２の原画像Ｐ２に対応する像は、奥行きのある立体再生像を得ることが可能なホログラムが作成されることになる。そのため、第１の原画像Ｐ１に対応する像はホログラムの表面に明るく見え、第２の原画像Ｐ２に対応する像は第１の原画像Ｐ１に対応する像の後方に存在するように、位置関係に違和感のないホログラムを作成することができる。なお、第２の原画像Ｐ２がホログラム記録面の手前（観察者側）に配置されていてもホログラムは作成できるが、第２の原画像Ｐ２のための干渉縞は、第１の原画像Ｐ１のための回折格子を記録する領域以外の領域に記録されるため、より手前に観察されるＰ２の立体像が、それよりも奥のホログラム記録領域上のＰ１の二次元画像に隠されて見えるという違和感のある見え方となり好ましくない。このため、第２の原画像Ｐ２は、ホログラム記録面の奥（観察者と反対側）に配置されることが好ましい。
【００７１】
これまで述べてきた実施形態は、図４に示す例のように、基本的に１つの二次元からなる第１の原画像及び１つの三次元からなる第２の原画像を同一媒体上に記録する例であったが、本発明に係るホログラム記録媒体の作成方法は、必ずしも２つの原画像を記録する方法のみに限定されるものではない。
【００７２】
たとえば、本発明は、複数Ｍ個の二次元からなる第１の原画像及び複数Ｎ個の三次元からなる第２の原画像を記録してもよい。複数Ｍ個の二次元からなる第１の原画像及び複数Ｎ個の三次元からなる第２の原画像を同一の媒体上に記録するのであれば、記録対象となる複数Ｍ個の二次元からなる第１の原画像及び複数Ｎ個の三次元からなる第２の原画像をデータとして用意する原画像準備段階と、可視光についての干渉縞を記録する単位領域を、ホログラムの記録面上に多数配置して定義する単位領域定義段階と、用意した複数Ｍ個の二次元からなる第１の原画像について、各単位領域に記録属性を付与する第１属性付与段階と、複数Ｎ個の三次元からなる第２の原画像について、各単位領域に記録属性を付与する第２属性付与段階と、個々の単位領域について、それぞれ付与された記録属性に対応する第１の原画像に基づく回折格子パターン・散乱構造パターン及び第２の原画像に基づく干渉縞パターンを求めることにより、記録面上に形成される所定の記録パターンを示すデータを作成する記録パターン作成段階と、作成された記録パターンを物理的な媒体上に形成する媒体形成段階と、を実行すればよい。
【００７３】
図１７は、本発明に係るホログラムの作成装置の基本構成を示すブロック図である。図示のとおり、この装置は、原画像格納部１００，記録パターン作成部２００，単位領域定義部３００，属性付与部４００によって構成されている。原画像格納部１００は、記録対象となる複数Ｍ個の原画像をデータとして格納する構成要素であり、図では、二次元からなる第１の原画像Ｐｉｃ（Ａ）と、三次元からなる第２の原画像Ｐｉｃ（Ｂ）という２つの原画像がデータとして格納された状態が示されている。一方、単位領域定義部３００は、可視光についての干渉縞を記録する単位領域を、ホログラムの記録面Ｒｅｃ上に多数配置して定義する機能をもった構成要素である。この単位領域定義部３００は、たとえば、オペレータの入力に基づいて単位領域の一辺の長さを決定した上で、当該長さに応じた正方形を１セルとする配列を自動的に生成する処理を行う構成要素によって実現することができる。
【００７４】
一方、属性付与部４００は、原画像格納部１００内に格納されている少なくとも１つの二次元からなる第１の原画像及び少なくとも１つの三次元からなる第２の原画像のそれぞれについて定義され、これら原画像に対応する記録属性に応じて、各単位領域についていずれかの記録属性を付与する処理を実行する。具体的な記録属性の付与処理の内容は、既に述べたとおりである。
【００７５】
そして、記録パターン作成部２００は、記録面Ｒｅｃ上の個々の単位領域について、それぞれ付与された記録属性に対応する第１の原画像に基づく回折格子パターン・散乱構造パターン及び第２の原画像に基づく干渉縞パターンを求めることにより、記録面Ｒｅｃ上に形成される所定の記録パターンを示すデータを作成する構成要素である。
【００７６】
なお、この図１７に示す装置は、実際には、コンピュータに所定のプログラムを組み込むことにより実現することができる。このプログラムは、ステップ１「原画像準備段階」で用意された原画像を示すデジタルデータと、ステップ２「単位領域定義段階」で定義された単位領域を示すデジタルデータと、に基づいて、ステップ３「属性付与段階」の処理およびステップ４「記録パターン作成段階」の処理を実行するためのプログラムである。
【００７７】
このように、本実施形態のホログラム作成方法、それによって作成されたホログラム及びホログラム作成装置によれば、二次元画像の領域が制約されず、二次元画像と立体像の間に隙間が生じることもなく、奥行き関係の違和感もなくし、明るく奥行きのある像を観察することが可能になる。
【図面の簡単な説明】
【００７８】
【図１】本発明の基本的な実施形態に係るホログラムの作成方法の手順を示す流れ図である。
【図２】第１の原画像Ｐ１を示す図である。
【図３】第２の原画像Ｐ２を示す図である。
【図４】第１の原画像Ｐ１と第２の原画像Ｐ２の奥行き関係を示す図である。
【図５】多数の単位領域が定義された記録面の正面図である。
【図６】図５に示した記録面Ｈ上に記録属性を付与した図である。
【図７】本発明の第２実施形態に係るホログラムの作成方法の手順の一部を示す流れ図である。
【図８】記録パターンを作成した記録面を示す図である。
【図９】回折格子パターンを用いてモチーフを記録する原理を説明する際の原画像を示す平面図である。
【図１０】図９の原画像に対応する記録面を示す平面図である。
【図１１】図１０の記録面上に回折格子パターンを用いてモチーフを記録した状態を示す平面図である。
【図１２】図１１に示す画素Ｐａ内に形成された回折格子パターンの拡大平面図である。
【図１３】第２原画像と記録面とを三次元空間上に配置し、干渉縞パターンを記録する原理を示す斜視図である。
【図１４】作成されたホログラムＨを正面から見た図である。
【図１５】作成されたホログラムＨを左側から見た図である。
【図１６】作成されたホログラムＨを左側から見た図である。
【図１７】本発明に係るホログラムの作成装置の基本構成を示すブロック図である。
【符号の説明】
【００７９】
１００…原画像格納部
２００…記録パターン作成部
３００…単位領域定義部
４００…属性付与部
Ａ…第１記録属性
Ｂ…第２記録属性
ｄ…格子線の線幅
Ｇ…点光源
Ｈ…ホログラム
Ｌ…格子線
Ｏ…物体光
Ｐｉｃ１，Ｐｉｃ２…記録対象となる原画像
Ｐ１…第１原画像
Ｐ２…第２原画像
ｐ…格子線のピッチ
Ｑ…記録面上の演算点
Ｒ…参照光
Ｒｅｃ１，Ｒｅｃ２…記録面
Ｕ，Ｕａ，Ｕｂ…単位領域
ｖ…閉領域
Ｘ，Ｙ，Ｚ…三次元座標系の各座標軸
θ…格子線の配置角度
【図１】
2010139673.tif 000003
【図２】
2010139673.tif 000004
【図３】
2010139673.tif 000005
【図４】
2010139673.tif 000006
【図５】
2010139673.tif 000007
【図６】
2010139673.tif 000008
【図７】
2010139673.tif 000009
【図８】
2010139673.tif 000010
【図９】
2010139673.tif 000011
【図１０】
2010139673.tif 000012
【図１１】
2010139673.tif 000013
【図１２】
2010139673.tif 000014
【図１３】
2010139673.tif 000015
【図１４】
2010139673.tif 000016
【図１５】
2010139673.tif 000017
【図１６】
2010139673.tif 000018
【図１７】
2010139673.tif 000019